(57)【要約】【課題】安定した充電電流で充電を行い、二次電池を高温にさらすことを回避できる充電回路を提供する。【解決手段】二次電池１と、充電電流を供給する電源手段２と、キュリー温度に達すると抵抗値が急激に増加する正温度特性感応抵抗３と、正温度特性感応抵抗３に生じる電圧を増幅して検出する電圧検出手段４と、電圧検出手段４で検出する電圧を一定に保つよう充電電流を増減させる電流調整手段５を備え、正温度特性感応抵抗３は二次電池１と熱的に接触させつつ充電電流の供給経路に直列に配置したことにより、電圧検出手段４は、充電電流により正温度特性感応抵抗３に発生する電圧と、二次電池１の発熱により正温度特性感応抵抗の抵抗値変化に応じた電圧を検出し、電流調整手段５で充電電流を調整するので、充電電流調整と共に二次電池１の発熱時の電流低減により二次電池１の発熱を低下させ、劣化を回避する充電回路を得られる。【選択図】図１
2014060881.tif 000002
【特許請求の範囲】
【請求項１】
充放電が可能な二次電池と、この二次電池への充電電流を供給する電源手段と、規定された温度でそれ以降の温度領域では電力一定となるキュリー温度に達すると抵抗値が急激に増加する正温度特性感応抵抗と、充電電流により前記正温度特性感応抵抗の両端に生じる電圧を増幅して検出する電圧検出手段と、この電圧検出手段で検出する電圧を一定に保つよう電圧降下値を調節して、前記二次電池への充電電流を増減させる電流調整手段を備えて、前記正温度特性感応抵抗を前記二次電池に熱的に接触させ、且つ、前記電源手段から前記二次電池への充電電流の供給経路に直列に挿入して配置し、前記正温度特性感応抵抗がキュリー温度に近づいたときには、前記正温度特性感応抵抗の抵抗値が増大することから電圧検出手段の検出値が高くなることを利用し、前記電流調整手段が充電電流を低くするように調整して充電することを特徴とする保護機能を有した充電回路。
【請求項２】
電源手段の出力電圧と二次電池最大電圧の差分から求める電位差にて、規定の充電電流を流すために必要な出力調整比率を電流調整手段の出力上限値として予め設定した出力制限手段を電流調整手段に設け、この電流調整手段は出力制限手段の有する出力上限値以内で出力を調整することを特徴とする請求項１に記載の保護機能を有した充電回路。
【発明の詳細な説明】
【技術分野】
【０００１】
本発明は、二次電池への充電および保護回路に関するものである。
【背景技術】
【０００２】
従来、この種の保護機能を有した充電回路は、二次電池と、この二次電池への充電電流経路にＰＴＣ電気装置が直列に配されると共に、前記二次電池とＰＴＣ電気装置が熱接触した構成において、ＰＴＣ電気装置と二次電池共に発熱していない状態では、急速（大きな電流で）にて充電し、二次電池の充電が満たされたときに発生する二次電池の発熱と、ＰＴＣ電気装置の自己発熱の加算温度にて、ＰＴＣ電気装置の抵抗値が高くなる特性を用い、充電電流経路に直列にＰＴＣ電気装置が配されているため充電電流が低減し、ＰＴＣ電気装置の発熱と放熱が平衡する温度となったときの抵抗値によって充電電流を低減し、充電を継続させるものであり、二次電池の端子が偶発的に短絡したときなどには、ＰＴＣ電気装置の自己発熱による抵抗値の増大作用を用いて電流を大幅に低減し、二次電池の保護をするものが知られている（例えば、特許文献１参照）。
【先行技術文献】
【特許文献】
【０００３】
【特許文献１】特許第２７７７３５４号公報
【発明の概要】
【発明が解決しようとする課題】
【０００４】
このような従来の保護機能を有した充電回路においては、ＰＴＣ電気装置が保有する温度−抵抗値特性のスイッチング温度（キュリー温度を超えたときの抵抗増大領域）以上の領域を用いて、直列に配されたＰＴＣ電気装置の抵抗値が増大することを利用して充電電流を低減させるものであり、二次電池が発熱している状況でも、ＰＴＣ電気装置のキュリー温度による発熱を二次電池に加え続けなければ充電を継続することができず、充電電流を低減しているにも関わらず、二次電池の温度を高温に維持することとなる。
【０００５】
また、二次電池の端子短絡などの保護動作中でも同様で、充電電流は低減しているが、熱的にはＰＴＣ電気装置の発熱を二次電池に加えることとなり、二次電池の温度を上昇させることとなる。
【０００６】
このように二次電池を高温にすることは避けるべきであり、二次電池は物質的な特性上、高温度状態を継続すると保有の電池容量が低下するなどの劣化を伴い、電池の使用時間を短くさせるだけでなく、外形の膨張や液漏れなどの故障が促進するという課題を有していた。
【０００７】
また、キュリー温度以上の領域を用いて充電電流の電流低減を図っているが、この領域は温度による抵抗値変化が激しい特性を有しており、ＰＴＣ電気装置の発熱状況、周囲温度環境により、大幅に充電電流はばらつき、安定した充電電流は得られないという課題を有していた。
【０００８】
そこで本発明は、上記従来の課題を解決するものであり、安定した充電電流で充電を行い、二次電池を高温にさらすことを回避できる充電回路を提供することを目的とする。
【課題を解決するための手段】
【０００９】
そして、この目的を達成するために、本発明は、充放電が可能な二次電池と、この二次電池への充電電流を供給する電源手段と、規定された温度でそれ以降の温度領域では電力一定となるキュリー温度に達すると抵抗値が急激に増加する正温度特性感応抵抗と、充電電流により前記正温度特性感応抵抗の両端に生じる電圧を増幅して検出する電圧検出手段と、この電圧検出手段で検出する電圧を所定の値に保つよう前記二次電池への充電電流を増減させる電流調整手段を備えて、前記正温度特性感応抵抗を前記二次電池に熱的に接触させ、且つ、前記電源手段から前記二次電池への充電電流の供給経路に直列に挿入して配置し、前記正温度特性感応抵抗がキュリー温度に近づいたときには、前記正温度特性感応抵抗の抵抗値が増大することから電圧検出手段の検出値が高くなることを利用し、前記電流調整手段が充電電流を低くするように調整して充電することを特徴としたものであり、これにより所期の目的を達成するものである。
【発明の効果】
【００１０】
本発明によれば、充放電が可能な二次電池と、この二次電池への充電電流を供給する電源手段と、規定された温度でそれ以降の温度領域では電力一定となるキュリー温度に達すると抵抗値が急激に増加する正温度特性感応抵抗と、充電電流により前記正温度特性感応抵抗の両端に生じる電圧を増幅して検出する電圧検出手段と、この電圧検出手段で検出する電圧を所定の値に保つよう前記二次電池への充電電流を増減させる電流調整手段を備えて、前記正温度特性感応抵抗を前記二次電池に熱的に接触させ、且つ、前記電源手段から前記二次電池への充電電流の供給経路に直列に挿入して配置するという構成にしたことにより、  前記正温度特性感応抵抗がキュリー温度に近づいたときには、前記正温度特性感応抵抗の抵抗値が増大することから電圧検出手段の検出値が高くなることを利用し、前記電流調整手段が充電電流を低くするように調整して充電するので、正温度特性感応抵抗はキュリー温度以下で充電電流を調整することができ、正温度特性感応抵抗の発熱による二次電池への熱的な影響を低減し、二次電池の劣化を回避することができると共に、正温度特性感応抵抗の抵抗値が安定しているキュリー温度以下の領域で充電電流を調整するため、充電電流を一定にした二次電池への充電を行うことができる。
【００１１】
また、二次電池が過充電などで発熱したときには、二次電池の熱が正温度特性感応抵抗に伝わり、正温度特性感応抵抗の温度を引き上げることで、電流調整手段が充電電流を低く調整するので、二次電池の発熱を低下させることができ、二次電池の劣化を回避することができるという効果を得ることができる。
【図面の簡単な説明】
【００１２】
【図１】本発明の実施の形態１記載の保護機能を有した充電回路の構成ブロック図
【図２】同、保護機能を有した充電回路の一例を示す構成回路図
【図３】同、正温度特性感応抵抗の温度−抵抗値特性グラフ（公称抵抗１．０Ω、キュリー温度８０℃品の特性を示すグラフ）
【図４】本発明の実施の形態２記載の保護機能を有した充電回路の構成ブロック図
【図５】同、保護機能を有した充電回路の一例を示す構成回路図
【図６】同、出力制限手段の出力上限値の一例を示す簡略回路図
【発明を実施するための形態】
【００１３】
本発明の請求項１記載の保護機能を有した充電回路は、充放電が可能な二次電池と、この二次電池への充電電流を供給する電源手段と、規定された温度でそれ以降の温度領域では電力一定となるキュリー温度に達すると抵抗値が急激に増加する正温度特性感応抵抗と、充電電流により前記正温度特性感応抵抗の両端に生じる電圧を増幅して検出する電圧検出手段と、この電圧検出手段で検出する電圧を所定の値に保つよう電圧降下値を調節して前記二次電池への充電電流を増減させる電流調整手段を備えて、前記正温度特性感応抵抗を前記二次電池に熱的に接触させ、且つ、前記電源手段から前記二次電池への充電電流の供給経路に直列に挿入して配置するという構成を有する。
【００１４】
これにより、正温度特性感応抵抗を二次電池に接触させ、電源手段から二次電池への充電電流の供給経路に直列に挿入したことで、電流調整手段は、電圧検出手段の検出した電圧が所定の値に対して高いときは電圧降下値を大きくして充電電流を下げるように、また、低いときは電圧降下値を小さくして充電電流を上げるように調整し、充電電流は、電圧検出手段の検出電圧値を所定の値に保つように調整される。
【００１５】
そして、電圧検出手段は、この充電電流により正温度特性感応抵抗の端子間には抵抗値に応じた電圧と二次電池の発熱による正温度特性感応抵抗の抵抗値の変化に応じた電圧を検出することとなるので、電流調整手段は、二次電池の充電電流を単に調整するだけではなく、過充電などで二次電池が発熱したときにも充電電流を調整するものであるので、正温度特性感応抵抗のキュリー温度以下の領域で充電電流を低く調整することとなり、二次電池の発熱を低下させることができ、二次電池の劣化を回避することができる。
【００１６】
また、回路を簡略化した安価な構成にすることができるという効果を奏する。
【００１７】
また、請求項２記載の保護機能を有した充電回路は、電源手段の出力電圧と二次電池最大電圧の差分から求める電位差にて、規定の充電電流を流すために必要な出力調整比率を電流調整手段の出力上限値として予め設定した出力制限手段を電流調整手段に設け、この電流調整手段は出力制限手段の有する出力上限値以内で出力を調整するという構成としてもよい。
【００１８】
これにより、電流調整手段は、電圧検出手段の検出した電圧が所定の値に対して低いときに充電電流を上げるように調整するが、出力制限手段にて前記電流調整手段の出力上限を制限して充電を行うため、二次電池電圧が常用電圧範囲の上限電圧を超えたときには、電流調整手段から規定の充電電流を流すのに必要な出力が発生せず充電電流不足にすることができる。
【００１９】
また、二次電池が過充電の場合には、二次電池が発熱すると共に、電池電圧が高くなるため、発熱に伴う正温度特性感応抵抗の抵抗値の増加による充電電流の低減調整と、電流調整手段からの出力不足により、充電電流を加速度的に低減することができ、二次電池の温度を素早く低下させることができる。
【００２０】
また、出力制限手段にて電流調整手段の出力上限値を規定するので、二次電池の端子短絡などの不具合発生時に流れる電流を抑制でき、突入電流による部品故障を回避することができるという効果を奏する。
【００２１】
以下、本発明の実施の形態について図面を参照しながら説明する。
【００２２】
（実施の形態１）
本発明の実施の形態１の保護機能を有した充電回路を図１から図３を参照しながら説明する。
【００２３】
図１に示す二次電池１に充電をする充電回路は、充電電流を供給する電源手段２と、規定された温度でそれ以降の温度領域では電力一定となるキュリー温度に達すると抵抗値が急激に増加する正温度特性感応抵抗３と、充電電流により正温度特性感応抵抗３の両端に生じる電圧を増幅して検出する電圧検出手段４と、この電圧検出手段４で検出する電圧を所定の値に保つよう二次電池１への充電電流を増減させる第１電流調整手段５から構成され、前記正温度特性感応抵抗３を前記二次電池１に熱的に接触させ、且つ、前記電源手段２から前記二次電池１への充電電流の供給経路に直列に挿入して配置している。
【００２４】
二次電池１は、３個の電池セルを直列に接続し充放電が可能なものである。
【００２５】
また、第１電流調整手段５は電源手段２と正温度特性感応抵抗３の間に配置したものである。
【００２６】
次にそれぞれの構成部品の詳細について図２と図３を参照しながら説明する。
【００２７】
図２に示すように、電圧検出手段４は、第１オペアンプ６を用いた差動増幅回路を構成しており、第１オペアンプ６の正入力端子に抵抗７と抵抗８からなる分圧回路を接続し、抵抗７の他方は正温度特性感応抵抗３の第１電流調整手段５側と接続している。
【００２８】
また、第１オペアンプ６の負入力端子は抵抗９と共に抵抗１０を介して第１オペアンプ６の出力端子に接続し、抵抗９の他方は正温度特性感応抵抗３の二次電池１側に接続している。
【００２９】
また、抵抗７と前記抵抗９、抵抗８と前記抵抗１０はそれぞれ同一の抵抗値を用いて構成しているため、抵抗７の抵抗値をＲＡ、抵抗８の抵抗値をＲＢとすると、差動増幅回路を用いて成る前記電圧検出手段４の出力電圧は、次の式にて求められる。
【００３０】
電圧検出手段出力電圧＝（ＲＢ÷ＲＡ）×正温度特性感応抵抗の端子間電圧・・・・（式１）
また、正温度特性感応抵抗３の両端に発生する電圧は、正温度特性感応抵抗３の抵抗値と流れている充電電流値によりＶ＝ＩＲの関係式にて発生する。
【００３１】
この端子間電圧を電圧検出手段４の検出値とせず、端子間に発生する電圧を増幅させる構成としたので、関係式に増幅率αが挿入されて、電圧検出値はＶ＝ＩＲαとなり、正温度特性感応抵抗３の抵抗値を低く設定することができ、正温度特性感応抵抗３の端子間電圧による充電電圧低下の低減と、正温度特性感応抵抗３の発熱の低減を図っている。
【００３２】
このように電圧検出手段４を構成することで、正温度特性感応抵抗３の端子間に発生した電圧を増幅して第１電流調整手段５に出力している。
【００３３】
第１電流調整手段５は、第２オペアンプ１１の負入力端子に電圧検出手段４からの出力と共に、抵抗１２を接続し、この抵抗１２の他方は第２オペアンプ１１の出力端子に接続している。
【００３４】
また、第２オペアンプ１１の正入力端子には基準電圧を入力しており、この基準電圧は、規定の充電電流が正温度特性感応抵抗３に流れたときに発生する端子間電圧を電圧検出手段４にて増幅した電圧と等しく設定する。
【００３５】
また、第２オペアンプ１１の出力端子は、抵抗１３を介してトランジスタ１４のベース端子に接続しており、このトランジスタ１４のコレクタ端子は前記電源手段２と、エミッタ端子は正温度特性感応抵抗３と接続している。
【００３６】
このように第１電流調整手段５を構成することで、電圧検出手段４の出力を第２オペアンプ１１にて基準電圧と比較し、基準電圧の方が高いときにはトランジスタ１４のベース電流を増加するように動作し、基準電圧の方が低いときにはベース電流を減少するように動作することで、トランジスタ１４のコレクターエミッタ間電圧を調整して、電圧検出手段４の出力が基準電圧と等しくなるよう充電電流を増減するものである。
【００３７】
つまり、第１電流調整手段５は、電圧降下値を調節して電圧検出手段４の出力が基準電圧と等しくなるよう充電電流を増減するものである。
【００３８】
二次電池１はニッケル水素電池として、１セルあたりの電池電圧は１．２Ｖであり、３本のセルを直列接続しているため定格電圧３．６Ｖ（使用電圧範囲は約３〜５Ｖ）の二次電池１を構成している。
【００３９】
この二次電池１の充電電流を供給する電源手段２の出力電圧は、前記二次電池１の使用電圧範囲において充電が可能なように電位差を確保したＤＣ１０Ｖと設定する。
【００４０】
正温度特性感応抵抗３は、図３に示すような温度−抵抗特性を有しており、公称抵抗値は１．０Ωの物を用いて、キュリー温度８０℃のときは約２倍の抵抗値となるので約２Ωに変化し、キュリー温度以上の温度領域は急激に抵抗値が高くなるものである。
【００４１】
上記構成において、電源手段２から供給される充電電流は、第１電流調整手段５を介して、正温度特性感応抵抗３、二次電池１へと流れ、この充電電流により前記正温度特性感応抵抗３の端子間には抵抗値に応じた電圧が発生する。
【００４２】
この正温度特性感応抵抗３の端子間電圧を用いて、電圧検出手段４は一定の増幅をして充電電流を検出しており、この増幅により正温度特性感応抵抗３の抵抗値を小さくし、部品の小型化と発熱の低減をしている。
【００４３】
次に前記電圧検出手段４で検出した電圧が所定の値に対して高いときは充電電流を下げるように、また、低いときは充電電流を上げるように前記第１電流調整手段５が調整し、電圧検出手段４の検出電圧値を所定の値に保つように充電電流は調整される。
【００４４】
このような充電動作の中、充電電流増大に伴う発熱の増加や前記二次電池１の発熱により、正温度特性感応抵抗３の温度がキュリー温度である８０℃付近、具体的には６５℃まで上昇した時には、正温度特性感応抵抗３の抵抗値が公称抵抗値よりも高くなり、充電電流が同一の電流でも正温度特性感応抵抗３の端子間に発生する電圧はＶ＝ＩＲの関係式から高くなるので、電圧検出手段４での検出値も高く認識されて、第１電流調整手段５は規定の充電電流よりも低い充電電流に調整して前記二次電池１へ充電をすることとなる。
【００４５】
このように、電圧検出手段４による増幅検出にて正温度特性感応抵抗３の低抵抗化と、正温度特性感応抵抗３の温度による抵抗値変化を用いた充電電流低減調整により、正温度特性感応抵抗３の発熱を低減し、正温度特性感応抵抗３はキュリー温度以下で充電電流を調整することができる。
【００４６】
また、正温度特性感応抵抗３の抵抗値が安定しているキュリー温度以下の領域で充電電流を調整するため、充電電流を安定し前記二次電池１へ充電を行うことができる。
【００４７】
また、部品の故障などにより正温度特性感応抵抗３を介して、二次電池１に大電流が流れたときには、電圧検出手段４の検出値が上がることによる第１電流調整手段５の電流低減調整と、正温度特性感応抵抗３が自己発熱により大幅に抵抗値が上がることによる電流低減により、充電電流はほぼ流れなくなり、周辺の回路部品や前記二次電池１の拡大被害を回避する保護として機能することができる。
【００４８】
また、二次電池１が過充電などで発熱したときには、二次電池１の熱が正温度特性感応抵抗３に伝わり、この正温度特性感応抵抗３の温度を引き上げることで、第１電流調整手段５が充電電流を低く調整することができる。
【００４９】
このように、電圧検出手段４では、充電電流により正温度特性感応抵抗３の端子間に抵抗値に応じて発生する電圧と、二次電池１の発熱による正温度特性感応抵抗３の抵抗値の変化に応じて電圧を検出することとなるので、電流調整手段は、電圧降下値を調節して、二次電池１の充電電流を単に調整するだけではなく、過充電などで発熱したときにも充電電流を調整するものであるので、正温度特性感応抵抗３のキュリー温度以下の領域で充電電流を低く調整することとなり、二次電池１の発熱を低下させることができ、二次電池１の劣化を回避することができる。
【００５０】
また、二次電池１の発熱により充電電流を低く調整することができるので、サーミスタなどの温度検出手段を別途用いる必要が無くなり、回路を簡略化した安価な構成にすることができる。
【００５１】
なお、実施の形態１では、二次電池１は３個のセルを直列に接続した構成としたが、二次電池１は充放電が可能な電池であれば良く、１個や２個以上のセルを配した構成でもその作用や効果に差異はない。
【００５２】
また、二次電池１をニッケル水素電池として記載したが、電池の形式や種類を問わず作用、効果を得られるものであり、特に電池の形式や種類を限定するものではない。
【００５３】
また、電源手段２は二次電池１への充電電流が供給できれば良く、公共の交流電圧を整流し、直流電圧を生成する構成のものから、絶縁性を問わずスイッチング電源構成のもの、電源トランスを用いた構成のもの、使用する二次電池１よりも比較的大きな容量を保有する電池など様々な構成で実現することができる。
【００５４】
また、第１電流調整手段５を構成している第２オペアンプ１１の正入力端子に接続された基準電圧は、電圧検出手段４の出力電圧の調整値として安定した直流電圧が入力されれば良く、図２に記載した図記号は直流電源や電池などを示しているが、スイッチングレギュレータやリニアレギュレータを用いた直流電源回路を構成し入力しても良いし、他の回路にて用いている直流電圧箇所より分圧抵抗回路を形成しその中間点を入力しても良い。
【００５５】
なお、実施の形態１では、本発明の保護機能を有した充電回路の構成を発明の特徴とする充電に関わる箇所に限定して記載したが、二次電池１からの放電回路や電源手段２からの放電回路を設けた構成とし、負荷を駆動する電子機器に搭載しても良い。
【００５６】
（実施の形態２）
本発明の実施の形態２の保護機能を有した充電回路を図４から図６を参照しながら説明する。
【００５７】
なお、実施の形態２の説明において既に実施の形態１で説明した同一部品については同一符号を付与し説明を省略する。
【００５８】
図４に示すように、第２電流調整手段１５に電源手段２の出力電圧と二次電池１最大電圧の差分から求める電位差にて、規定の充電電流を流すために必要な出力調整比率を第２電流調整手段１５の出力上限値として予め設定した出力制限手段１６を有した構成とする。
【００５９】
次にそれぞれの構成部品について図５と図６を参照しながら説明する。
【００６０】
図５に示すように出力制限手段１６としてツェナーダイオードを用いて、第２オペアンプ１１の出力端子と接続する。
【００６１】
前記ツェナーダイオードのツェナー電圧は、電源手段２の出力電圧と二次電池１最大電圧の差分から求める電位差にて、規定の充電電流を流すために必要な出力調整比率にて決定する。
【００６２】
具体的には、図６に示すように、電源手段２の出力電圧（Ｖｉｎ）が１０Ｖ、二次電池１の常用電圧上限値（Ｖｂａｔ）が５Ｖのため電位差は５Ｖとなる。
【００６３】
電位差５Ｖのときに、正温度特性感応抵抗３の抵抗値が１Ωで、二次電池１への充電電流値を５００ｍＡに設定すると正温度特性感応抵抗３の両端電圧（Ｖｒ）は０．５Ｖとなるので、第２電流調整手段１５で調整するとき、トランジスタ１４のＶｃｅは４．５Ｖまで下げる必要があり、そのときの出力調整比率は、（Ｖｒ＋Ｖｂａｔ）÷Ｖｉｎ＝（０．５＋５）÷１０＝５５％となり、この出力電圧を出力上限値として充電電流を制限する。
【００６４】
第２電流調整手段１５は充電電流を増減させるためにはトランジスタ１４のＶｃｅを増減させる必要があるが、このトランジスタ１４のＶｃｅは、使用するトランジスタ１４の増幅率（ｈＦＥ）とベース−エミッタ間電圧（ＶＢＥ）、抵抗１３の抵抗値から求まるベース電流値を増減することで任意に可変することが可能である。
【００６５】
このことから出力調整比率による充電電流の上限値制限は、トランジスタ１４のベース電流の上限値を制限すれば良く、第２オペアンプ１１の出力端子電圧をツェナーダイオードを用いてツェナー電圧以上に上がらなくすることで抵抗１３にて制限されるトランジスタ１４のベース電流の上限を決めることができる。
【００６６】
このように設定した出力制限手段１６を有した第２電流調整手段１５を構成することで、電源手段２の出力電圧と二次電池１電圧の電位差が５Ｖ以下となったとき、すなわち二次電池１電圧が常用電圧を超えた場合には、第２電流調整手段１５の第２オペアンプ１１の出力が如何に高い出力電圧を生成しても、ツェナーダイオードのツェナー電圧以上にはならず、トランジスタ１４のベース電流はこのツェナー電圧にて上限が制限され、充電電流を増加できなくなる。
【００６７】
また、さらに二次電池１の電圧が高くなったときには、電源手段２の出力電圧との電位差が小さくなり、必要な出力調整比率が増加するが、上述のようにツェナー電圧にて出力上限が制限されているので、充電電流はさらに減少していく。
【００６８】
上記構成において、第２電流調整手段１５は、電圧検出手段４の検出した電圧が所定の値に対して低いときに充電電流を上げるように調整するが、出力制限手段１６にて前記第２電流調整手段１５の出力上限を制限して充電を行うため、二次電池１の端子間電圧が常用電圧範囲の上限電圧を超えたときには、第２電流調整手段１５から規定の充電電流を流すのに必要な出力が発生せず充電電流不足にすることができる。
【００６９】
また、二次電池１が過充電の場合には、二次電池１が発熱すると共に、電池電圧が高くなるため、発熱に伴う正温度特性感応抵抗３の抵抗値の増加による充電電流の低減調整と、第２電流調整手段１５からの出力不足により、充電電流を加速度的に低減することができ、二次電池１の温度を素早く低下させることができる。
【００７０】
また、出力制限手段１６にて第２電流調整手段１５の出力上限値を規定するので、二次電池１の端子短絡などの不具合発生時に流れる電流を抑制でき、突入電流による部品故障を回避することができる。
【産業上の利用可能性】
【００７１】
本発明の保護機能を有した充電回路は、定電流回路を用いた充電回路の温度保護を簡易な構成で成し得るものであり、電子機器の中に組込むことでコードレス機器への手段として利用することができる。
【符号の説明】
【００７２】
１  二次電池
２  電源手段
３  正温度特性感応抵抗
４  電圧検出手段
５  第１電流調整手段
６  第１オペアンプ
７  抵抗
８  抵抗
９  抵抗
１０  抵抗
１１  第２オペアンプ
１２  抵抗
１３  抵抗
１４  トランジスタ
１５  第２電流調整手段
１６  出力制限手段
【図１】
2014060881.tif 000003
【図２】
2014060881.tif 000004
【図３】
2014060881.tif 000005
【図４】
2014060881.tif 000006
【図５】
2014060881.tif 000007
【図６】
2014060881.tif 000008